(57)【要約】      （修正有）【課題】ろ過袋を安定してコップに定位することができるティーバッグの構造を提供する。【解決手段】透水性のろ過袋１０及び掛止シート２０で構成するティーバッグの構造であって、該ろ過袋内に適量の茶葉等の抽出物を充填し、ろ過袋の口は２つ折りにした掛止シートによって接合して封止する。該掛止シートの前端にフック部２１を形成することにより、コップの取っ手などに引っ掛けて、安定した状態でコップ内に茶葉を充てんしたろ過袋を支持することにより茶葉などを効果的に抽出することができる。【選択図】図１
0003205859.tif 000002
【実用新案登録請求の範囲】
【請求項１】
ろ過袋及び掛止シートから構成され、
該ろ過袋は透水性の袋本体とし、その中に適量の抽出物を充填し、ろ過袋の口は2つ折りにした掛止シートによって接合して封止し、該掛止シートの前端にフック部を形成して、コップの取っ手に引っ掛けることができるようにしたことを特徴とするティーバッグの構造。
【請求項２】
前記掛止シートの表面を、印刷により文字、図案、商標を表示する表示部としたことを特徴とする請求項１記載のティーバッグの構造。
【考案の詳細な説明】
【技術分野】
【０００１】
本考案はティーバッグの構造に関し、特に固定作用を具有し、アイディアに満ちたティーバッグの構造に関する。
【背景技術】
【０００２】
お茶を飲む文化は、生活する上で欠かせない一環である。今日に至るまで、お茶を飲む方法は、テーブルを囲ってお茶を淹れて飲む。次第にティーバッグで淹れるようになり、ティーバッグにより、いつでもどこでもお茶を淹れて飲める便利性を提供することで、現代人の緊迫した生活の中でも、お茶を楽しむことができる。
【０００３】
目下販売されているティーバッグは、茶葉袋を具有し、そこに茶葉、花びら或いはその他の抽出材料を入れる。茶葉袋から紐を接続し、紐の別端にはラベルを固定する。これにより、ユーザーは茶葉袋をコップの中に入れ、ラベルは紐を通じてコップの外側に垂れる。コップにお湯を入れると、素早く一杯のお茶を淹れることができる。ユーザーは、更に該ラベルを持って茶葉袋を揺らすことで、加速してお茶成分を抽出する作用に果たす。ただ、従来のティーバッグのラベルは紙でできているため、使用中にはラベルがコップの中に入るという状況に陥りやすく、お茶を飲む過程において不便である。また、従来のティーバッグは茶葉袋、紐とラベルで構成し、全体的に美感がなく、大事な会議や披露宴などの場合では、上質な感じがないことなどを鑑みて、更なる改善が必要であった。
【先行技術文献】
【特許文献】
【０００４】
【特許文献１】特開２００８−８１２０５号公報
【特許文献１】特開２０１５−８９４２２号公報
【考案の概要】
【考案が解決しようとする課題】
【０００５】
前記公知構造の欠点を解決するため、本考案はコップに安定して依存することのできるティーバッグの構造を提供することを主な課題とする。
【課題を解決するための手段】
【０００６】
上述の目的を解決するために、本考案はティーバッグの構造を提供するものである。本考案は透水性のろ過袋と掛止シートで構成し、該ろ過袋は一つの袋であって、その中に適量の抽出物を充填し、ろ過袋の口は2つ折りにした掛止シートで閉じ、掛止シートの前端にはフック部を形成し、それをコップの取っ手に引っ掛けてろ過袋をコップ内に支持することができる。
【考案の効果】
【０００７】
本考案は、該ろ過袋内に適量の抽出物を充填することができ、ろ過袋の口は掛止シートによって接合する。該掛止シートの前端にフック部を形成することで、コップの取っ手に引っ掛けてろ過袋をコップ内に支持することにより、ろ過袋を安定してコップに定位する一種のティーバッグの構造を提供する。
【図面の簡単な説明】
【０００８】
【図１】本考案の最良実施例の立体構造図である。
【図２】本考案の最良実施例の正面平面図である。
【図３】本考案をコップに使用する略図である。
【図４】本考案をお茶の中に浸した参考略図(一)である。
【図５】本考案をお茶の中に浸した参考略図(二)である。
【図６】本考案を急須に使用する略図である。
【考案を実施するための形態】
【０００９】
以下、本考案の構造と特徴および効果を、最良実施例について図面を参照しながら詳細に説明する。また、付属の図式は略図の方法で本考案の基本構造を説明しているため、それらの図式の中で、本考案に関連する構造或いは部品のみ標示し、且つ標示する構造形状、サイズ、比例、或いは部品の数など、いずれも選択できるデザインである。前後、左右、上下及び水平或いは垂直の文字の意味は、描写するのに便利なだけであり、本考案を制限するものではなく、また、その部品を如何なる位置或いは空間方向に制限するものではないことを予め、宣言する。
【実施例】
【００１０】
図１及び図２で示すのは本考案の最良実施例の立体構造図及び正面平面図である。図に示すように、本考案はろ過袋１０と掛止シート２０で構成する。
【００１１】
該ろ過袋１０は、透水性のある不織布で構成する袋本体である。その中に適量の茶葉、花びらなどの抽出物を充填することができる。ろ過袋１０の口には掛止シート２０を半分に折ってから接合する。掛止シート２０の前端に一つのフック部２１を形成することにより、コップの取っ手に引っ掛けることができる。また、該掛止シート２０の表面には、印刷の方法を用いて予定の文字や図案、或いは商標を表示することができることで、美感、標示或いは説明などの作用を具有することができる。
【００１２】
図３に示すのは本考案の最良実施例の使用参考略図である。前記のろ過袋１０と掛止シート２０の構造によって、該ろ過袋１０に適量の抽出物を充填することができ、その口は掛止シート２０で接合し、また、該掛止シート２０の前端にフック部２１を設ける。それにより掛止シート２０のフック部２１をコップ３０の取っ手３１に引っ掛けることができ、それによりろ過袋１０は自然にコップ３０の内部に垂れ、お湯を注ぐと抽出されて、お茶を飲むことができる。
【００１３】
図４及び図５に示すのは、本考案のろ過袋１０をお茶の中に浸した参考略図である。該ろ過袋１０の長さと抽出物の容量は、対応するコップ３０のサイズによって調整することができる。最良実施例として、掛止シート２０のフック部２１をコップ３０の取っ手３１に引っ掛けることで、ろ過袋１０をコップの内部に垂れさせるとき、該ろ過袋１０の長さはコップの約三分の二を占める。つまり、ろ過袋１０の底から三分の一の高さにまで垂れる。この構成により、ろ過袋１０がずっと飲みかけのお茶の中に浸すことで、お茶が渋く、苦くなりすぎず、更にろ過袋１０を複数回使用できる価値を高める。
【００１４】
また、前記ろ過袋１０は掛止シート２０のフック部２１をコップの取っ手３１に引っ掛けることで、ろ過袋１０はコップ内部に垂れ、お湯を注いでお茶を抽出して飲む。ただ、前記コップ３０とはコップ、或いは取っ手を具有する急須４０を指し、ろ過袋１０は掛止シート２０のフックを介し、急須４０の内部に垂れるため、同様にお茶を淹れる目的に達する(図６を参照)。
【００１５】
更に、該掛止シート２０は、フック部２１及びろ過袋１０の口を接合して形成するのが主な機能であり、且つ使用する過程において、コップ内のお茶に触れることがないため、掛止シート２０が構成する形状や材質は様々なセレクトと変化をすることができる。
【００１６】
本考案は前記の構造部品により、下記のメリットを達成することができる。
【００１７】
１、該掛止シート２０をコップの取っ手に引っ掛けることで、ろ過袋１０はコップにおいて、効果的に定位することができ、随意に動く或いは変位することなく、ろ過袋１０が浮いている、或いは沈んでいても、抽出の効果に影響を及ぼさない。ユーザーがお茶を飲む際、掛止シート２０が良好な定位効果があるため、ユーザーは取っ手を持ち、コップの縁に口をつけて飲むことができ、ろ過袋１０によって邪魔されない。
【００１８】
２、ユーザーは取っ手から掛止シート２０を取り、掛止シートを持ってろ過袋１０をコップの中で揺らすことで、更に徹底的にお茶を抽出することができる。
【００１９】
３、該掛止シート２０は美感或いはアイディア性、個性的なデザイン、造形にすることができ、表面の印刷に合わせて、ティーバッグを更に上質なものに見せることができる。
【００２０】
前記の技術手段の具体的な実現により、本考案のティーバッグの構造は、確かにティーバッグの領域において、価値のある突破したデザインになり、具体的に実用的な効果をアップし、産業利用を増加する創作目的に達する。しかし、以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。上述の通り、本考案は多くのメリットを具有し、且つ顕著な実用特性を具有する。その技術手段及び構造の特徴を運用するのは、確かに本考案の考案者が研究開発したものであり、市場では未だかつてないものである。
【符号の説明】
【００２１】
１０  ろ過袋
２０  掛止シート
２１  フック部
３０  コップ
３１  取っ手
４０  急須
【図１】
0003205859.tif 000003
【図２】
0003205859.tif 000004
【図３】
0003205859.tif 000005
【図４】
0003205859.tif 000006
【図５】
0003205859.tif 000007
【図６】
0003205859.tif 000008